(57)【要約】【課題】  吊り下げ部が収容部の水平断面形状の長軸方向と角度をなしていることで、狭い陳列スペースでも効率良く吊り下げが可能で、商品も取り易く選び易くなる。【解決手段】  本発明は、吊り下げ部２と収容部１を有する包装体に関する。収容部１の水平断面形状は長軸と短軸を有し、該長軸と吊り下げ部２とは角度をなして形成されている。吊り下げ部２は、収容部１の天頂部３に設けられた挿し込み穴４に、吊り下げ部材２０を挿入して構成されており、吊り下げ部２は、吊り下げ部材２０を挿入したときに前記長軸方向と角度をなすように形成されている。【選択図】  図１
2006290442.tif 000002
【特許請求の範囲】
【請求項１】
吊り下げ部と収容部を有する包装体であって、
前記収容部の水平断面形状は長軸と短軸を有し、該長軸と前記吊り下げ部とは角度をなして形成されている包装体。
【請求項２】
前記吊り下げ部は、前記収容部の天頂部に設けられた挿し込み穴に、吊り下げ部材を挿入して構成されており、前記吊り下げ部は、前記吊り下げ部材を挿入したときに前記長軸方向と角度をなすように形成されている請求項１記載の包装体。
【請求項３】
前記挿し込み穴は、長軸および短軸を有する形状であり、挿し込み穴の長軸は、前記収容部の水平断面形状の長軸と角度を有するように形成されている請求項２記載の包装体。
【請求項４】
前記挿し込み穴は、収容部の天頂部の重心を中心として複数方向に形成されており、前記収容部の長軸方向に対して複数の角度に調整可能なようになされている請求項２又は３記載の包装体。
【請求項５】
前記吊り下げ部材は、前記挿し込み穴との接触部位において、その断面形状が五角以上の多角形に形成されている請求項２〜４記載の包装体。
【請求項６】
前記吊り下げ部は、収容部の天頂部に施された切り込みから、天頂部を部分的に起立させることで形成される請求項１記載の包装体。
【発明の詳細な説明】
【技術分野】
【０００１】
本発明は、吊り下げ部と収容部を備えた包装体に関する。
【背景技術】
【０００２】
商品陳列の方法の１つとして、陳列棚の壁面等より吊り下げ用の棒（陳列棒）を前面側に延出し、その陳列棒に商品を吊り下げることが一般的におこなわれている。この際、陳列する商品の形態が様々であるため、幅の広い商品があると他の商品の陳列スペースがなくなることや、陳列のスペースが狭く商品を吊り下げることが出来ない等の不具合があった。また吊り下げられた場合であっても、隣の商品との隙間が無く、消費者が商品を選ぶ際には、仮に手前側にあっても隣の商品に引っかかって取り出しが困難であったり、隣の商品を落としてしまったりした。また、商品管理者の在庫確認作業等の場合では、陳列された商品の量や種類を手前側から確認することが困難であり、商品を１つ１つ外して確認し、もう一度吊り下げるなど非常に不便な状況であった。
【０００３】
斯かる課題を解決する手段として、商品内容を表示するタブを、商品の包装容器の上部に位置を変えて付しておき、縦一列に並べた場合でも奥の商品を手前から容易に判別できるようにした技術が提案されている（例えば下記特許文献１参照）。
【０００４】
ところが狭い陳列棒の商品の抜き取り易さは改善されていなく、また例えば、商品の仕様の一つとして挙げられる商品の色やサイズが多数ある場合のように、商品内容の種類が多くなると、それに応じてタブの位置や商品内容の表示の異なる包装体で判別は出きる。しかし種類が多ければ多いほど奥にある商品を取り出したい時、他の商品に触れたりして商品を落としたりしてしまう可能性がある。
【０００５】
【特許文献１】特開２００４−１７９９８号公報
【発明の開示】
【発明が解決しようとする課題】
【０００６】
本発明は、上記課題に鑑みてなされたものであり、陳列幅が狭く、また判別性に優れた包装体を提供することを目的とする。
【課題を解決するための手段】
【０００７】
本発明は、吊り下げ部と収容部を有する包装体であって、前記収容部の水平断面形状は長軸と短軸を有し、該長軸と前記吊り下げ部とは角度をなして形成されている包装体を提供することにより、上記目的を達成したものである。
【発明の効果】
【０００８】
本発明によれば、包装体の陳列幅を狭くすることができ、また、商品表示が見やすく判別性に優れている。また、包装体の陳列が容易であり、更には取り出し性に優れている。
【発明を実施するための最良の形態】
【０００９】
以下本発明の包装体をその好ましい実施形態に基づいて、図を参照しながら説明する。図１は、本発明の包装体の第１実施形態を模式的に示す斜視図である。
【００１０】
本発明の好ましい第１実施形態の包装体１０は、図１に示すように、六面体形状の箱状の収容部１と、吊り下げ部２を有している。吊り下げ部２は、図２に示すように、収容部１の天頂部３の中央部に設けられた挿し込み穴４に、吊り下げ部材２０が挿入されて構成されている。収容部１は、天頂部３である天面、底面、正面、裏面及び両側面を有している。
【００１１】
図３（ａ）に示すように、収容部１の水平断面形状は、長軸Ｘと短軸Ｙを有しており、詳細には長方形である。ここで、収容部の水平断面形状の長軸とは、包装体を吊り下げ部を介して水平な陳列棒に吊り下げた状態において、収容部の水平断面形状における直線で表される正面又は裏面に対して平行な軸をいい、本実施形態では、長方形の長辺が長軸である。なお、正面とは、包装体を陳列棒に吊り下げた状態において陳列棒の前端側から概ね見える面をいう。また、該収容部の同水平断面形状の短軸とは、前記長軸と垂直に交わる軸をいい、本実施形態では、長方形の短辺である。あるいは、収容部の水平断面形状の長軸とは、包装体を吊り下げ部を介して水平な陳列棒に吊り下げた状態において、収容部の水平断面形状を含む最小の矩形（長方形）の長辺をいい、該収容部の同水平断面形状の短軸とは、該最小の矩形の短辺をいう。
【００１２】
図３（ｂ）に示すように、挿し込み穴４は、長軸ｘと短軸ｙを有しており、詳細には長方形であり、挿し込み穴４の長軸ｘは、収容部１の前記水平断面形状の長軸Ｘと角度を有するように形成されている。ここで、挿し込み穴の長軸とは、ここでは長方形の長辺方向の軸をいい、挿し込み穴の短軸とは、長方形の短辺方向の軸をいう。
【００１３】
挿し込み穴４に挿入された吊り下げ部材２０は、挿し込み穴４と平行に固定され、吊り下げ部２は、収容部１の前記水平断面形状の長軸Ｘと角度をなして形成されている。ここで、吊り下げ部と収容部の前記水平断面形状の長軸Ｘとの角度とは、水平に配設された陳列棒に包装体を吊り下げたときに、陳列棒に直行する軸と収容部１の水平断面形状の長軸Ｘとのなす角で、陳列時に包装体が傾く角度でもある。本実施形態では、挿し込み穴４の長軸ｘと、収容部１の前記水平断面形状の長軸Ｘとがなす角度をいう。また、「角度をなす」または「角度を有する」とは、平行ではないことを表している。
【００１４】
収容部１には、例えば、生理用ショーツ等の商品が収容される。収容部１の各面には、内容物（商品）に関する情報や、判別を容易にするための商品表示が印刷されている。側面の下方や正面の右下にはくりぬかれて透明なフィルムが貼られた窓５１、５２が形成されており、窓５１、５２から内容物を確認することができる。また、収容部１の背面の右上には、内容物のサイズ（Ｍ）が示されたタブが付設されている。
【００１５】
挿し込み穴４の長軸ｘと、収容部１の水平断面形状の長軸Ｘとがなす角度、つまり、吊り下げ部２と長軸Ｘとがなす角度は、包装体の陳列幅および商品表示や内容物の判別の観点から１５〜６０°が好ましく、２０〜４５°がより好ましい。
【００１６】
図２に示すように、吊り下げ部材２０は、陳列棒に引っかかるフック部２１と、挿し込み穴４に挿入される挿入部２２を有し、フック部２１と挿入部２２の間は連結部２３で連結されている。挿入部２２は挿し込み穴４の長軸方向長さより長く、斜めにしながら挿し込んだ後は、挿入部２２が挿し込み穴４近傍の天頂部３で引っかかり、吊り下げ部材２０が抜けないようになされている。連結部２３は、挿し込み穴４に挿通されて挿し込み穴４の縁に接触している部位である。連結部２３の断面形状及び断面積は、内容物を含めた包装体の重量や吊り下げ部材の材質により設定される。通常は、厚みは吊り下げ部の厚みで、長さは厚みより長くした長方形の断面である。挿し込み穴４は、吊り下げ部２の挿入部２２を差し込んだ後、連結部２３まで戻すようにし天頂部３に固定される。この際、挿し込み穴４は連結部２３が戻され固定された位置において、バランスがとれるよう形成される。なお、吊り下げ部の厚みとは、フック部及び挿入部の厚みを含む厚みをいい、本実施形態では連結部の長方形の幅（厚み）をいう。
【００１７】
収容部１と吊り下げ部２は、様々な材料によって形成可能であるが、成形性や印刷の容易さ、また挿し込み穴４の形成容易性の観点から、収容部１には、紙、ラミネート紙、ポリプロピレンやポリエステル等のプラスチック材料等が好ましく用いられる。吊り下げ部２となる吊り下げ部材２０には、成形性の点から、ポリプロピレンやポリエステル等のプラスチック材料が好ましく用いられる。
【００１８】
図４に示すように、包装体１０は、陳列棒８に吊り下げ部２を引っ掛けて吊り下げると、収容部１の水平断面形状の長軸と、吊り下げ部２とが角度をなしているために、包装体１０は陳列棒８に対して斜めに陳列される。このため、包装体１０の陳列の幅を狭くすることができ、狭い陳列スペースにも陳列することが可能である。複数の陳列棒８がある場合には、隣の陳列棒に吊り下げられた包装体１０との間隔に余裕ができ、取り出し性が容易になる。また、陳列棒８間の間隔を狭くして、陳列スペースをコンパクトにしたり、陳列棒８の数を増やしてより多くの包装体１０を陳列することが可能となる。また、収容部１も斜めになるため、正面に設けられた窓５２のみならず、側面に設けられた窓５１からも内容物を確認することができ、商品の判別性が向上する。
【００１９】
次に本発明の包装体の第２〜７実施形態を、図５〜１０を参照しながら説明する。第２〜７の実施形態について、特に説明しない点については、第１実施形態に関して詳述した説明が適宜適用される。また、図５〜１０において、第１実施形態と同じ部材に同じ符号を付してある。
【００２０】
本発明の好ましい第２実施形態の包装体１０は、図５（ａ）及び（ｂ）に示すように、天頂部３の挿し込み穴４が複数（本実施形態では四つ）の方向に放射状に延びる延出部４０を有している。詳細には、挿し込み穴４は、複数（本実施形態では四つ）の矩形の挿し込み穴が天頂部３の重心を中心にして重なっている形状を有している。延出部４０の延出方向は、挿し込み穴４や天頂部３の大きさによって異なるが、２方向から４方向が好ましい。挿し込み穴４の延出部４０の各延出方向を長軸ｘとした場合、この長軸ｘが、収容部２の水平断面形状の長軸Ｘと角度をなしている。長軸ｘと長軸Ｘのなす角度は、第１実施形態と同様の範囲とすることが好ましい。
【００２１】
吊り下げ部材２０は、挿し込み穴４に挿入して、吊り下げ部２を構成し、吊り下げ部２と収容部１の水平断面形状の長軸Ｘとは角度を有する。このため、陳列棒に吊り下げる場合に、挿し込み穴の選択した方向によって、収容部１を陳列棒に対して斜めに設置することができる。第２実施形態においては、図５のように、吊り下げ部材２０は、挿し込み穴４の方向によって、複数の角度に挿入が可能であり、収容部１の陳列棒に対する角度や、斜めの向きを変えることができる。商品管理者が陳列幅スペースや陳列イメージにあった角度を選択して、角度や向きを調節することが可能であるため、陳列スペースの調整が容易となり、また商品判別性を向上させることが可能となる。
【００２２】
本発明の好ましい第３実施形態の包装体１０は、図６（ａ）に示すように、収容部１の天頂部３に設けられた挿し込み穴４の長軸ｘが、収容部１の水平断面形状の長軸Ｘと平行に形成されている。吊り下げ部材２０は、挿し込み穴４との接触部位となる連結部２３の水平断面形状が多角形となっており、第３実施形態では、正六画形である。図６（ｂ）は、図６（ａ）において、吊り下げ部材２０が挿し込み穴４に挿入された箇所付近のＢ−Ｂ断面図であり、吊り下げ部材２０を、収容部１の挿し込み穴４に挿入した後、図６（ｂ）のように、吊り下げ部材２０の連結部２３の外周の平行な二面が、挿し込み穴４の対向する二辺（長軸方向の二辺）の間に位置するように回転させることで、吊り下げ部２を収容部１の長軸Ｘと角度を有するように形成することが可能となる。第３実施形態は、吊り下げ部材２０を時計回りに６０°回転させている。
【００２３】
吊り下げ部材２０の連結部２３の断面形状は、その外周に挿し込み穴４の対向する二辺の間隔Ｗより僅かに短い間隔の平行な二辺を有する五角形以上の多角形で、偶数角形が好ましく、特に偶数角形で且つ正角形であることが好ましい。挿し込み穴４には、連結部の回転が可能なように連結部２３の最大外形Ｈ１よりも幅の広い領域４１を設けておく。これにより、吊り下げ部の挿入後に回転させる時、収容部の挿し込み穴４の切り口を極端にキズ付けたり変形させることがなく、しかも吊り下げ部をある方向に回転させた後、容易に動くことがなく固定できる。このように吊り下げ部２が天頂面の長軸方向と角度を有すことができ、陳列時に包装体を陳列棒に対して斜めに設置することが出来る。
【００２４】
この様に吊り下げ部材２０を回転させることで、収容部１の陳列棒に対する角度や、斜めの向きを変えることができ、商品管理者が陳列幅スペースや陳列イメージにあった角度や向きを選択して、包装体１０を設置することが出来る。
【００２５】
本発明の好ましい第４実施形態の包装体１０は、図７（ａ）に示すように、収容部１は、第３実施形態と同様に、収容部１の天頂部３に設けられた挿し込み穴４の長軸ｘが、収容部１の水平断面形状の長軸Ｘと平行に形成されている。吊り下げ部２は、吊り下げ部材２０を挿し込み穴４に挿し込んで構成されているが、吊り下げ部材２０のフック部２１と挿入部２２とが捻れて形成されており、吊り下げ部材２０を挿し込み穴４に挿入することで、フック部２１と挿し込み穴４の長軸Ｘが角度を有し、吊り下げ部２と収容体１の長軸Ｘとは角度を成して形成される。第４実施形態では、図７（ｂ）のように、フック部２１と挿入部２２とが連結部２３においてθ＝３０°の捻れた関係にある。吊り下げ部はポリプロピレンやポリエステル等のプラスチック材料で形成され、成形時に角度を付けて成形されている。
【００２６】
第４実施形態の包装体１０は、吊り下げ部材２０の捻れ構造によって、陳列時に包装体１０が陳列棒に対して斜めに設置することが出来る。
【００２７】
次に、第５実施形態の包装体１０について説明する。本発明の好ましい第５実施形態の包装体１０は、図８（ａ）に示すように、収容部１と吊り下げ部２が同一材料の一体物で構成されており、詳細には、収容部１の背面から、天頂部３より上方に延出する片部２’を形成し、この片部２’で吊り下げ部２を形成している。尚、片部２’は天頂部３から延出させ、上に折り曲げて吊り下げ部２を形成してもよい。吊り下げ部２は、フック部２１を有し、フック部内に縦方向に折り誘導線２６が形成されており、図８（ｂ）のように、フック部２１の先端が折り曲げられている。フック部２１を折り誘導線２６によって、折り曲げることによって、吊り下げ部２は、収容部１の水平断面形状の長軸と角度を有し、陳列時に包装体を陳列棒に対して斜めに設置することができる。
【００２８】
折り誘導線２６は、吊り下げ部２の素材に凹凸加工や切り込み線等で形成されている。折り誘導線２６によって折り曲げられたフック部２１は、陳列性および商品表示の見易さの点から、フック部２１以外の吊り下げ部２に対して、１０〜４５の角度を有しているのが好ましい。
【００２９】
吊り下げ部２は、図８（ａ）のように、収容部背面の片部を大きくすることで、吊り下げ部２の強度をより向上させている。また、片部を大きくしたことによって、吊り下げ部２に、商品表示の情報を入れ易くしている。尚、折り誘導線に対して、図８（ａ）では、背面側にフック部２１を折り曲げたが、正面側に折り曲げることが可能であり、任意に折り返して、収納部１の向きを変更することができる。
【００３０】
第５実施形態の包装体１０において、収容部１と吊り下げ部２の材質は、吊り下げ部２を折り曲げたときに割れにくくするために、紙、ラミネート紙、ポリプロピレンやポリエチレン等の熱可塑性プラスチック材料が好ましく用いられる。
【００３１】
本発明の好ましい第６実施形態の包装体１０は、図９（ａ）に示すように、収容部１と、吊り下げ部材２０から構成された吊り下げ部２を有している。収容部１は、その背面上部から上方に延出する片部２’を有し、片部２’の中央部に挿入穴（図示せず）を有している。吊り下げ部材２０は、図９（ａ）のように、その下方の内側に互いに嵌合可能な雄雌の凹凸部を有する留め部２７を有しており、留め部２７の凹凸部を挿入穴で嵌合させることで固定される。吊り下げ部材２０は、ポリプロピレンやポリエステル等のプラスチック材料で形成されている。図９（ｂ）のように、吊り下げ部材２０のフック部２１と留め部２７側面が角度を有するように捻れており、吊り下げ部２と収容部１の水平断面形状の長軸は角度を有している。第６実施形態の包装体１０は、陳列棒に対して収容部１が斜めに設置される。
【００３２】
本発明の好ましい第７実施形態の包装体１０は、収容部１の天頂部３が吊り下げ部２を形成する形態である。天頂部３には、図１０（ａ）及び（ｂ）に示すように、切り込み７が施されている。そして、切り込みが施された領域を、天頂部３より起立させることで吊り下げ部２が形成される。切り込み７は、立上げ部となる領域が吊り下げ部の形状を有し、吊り下げ部２の付け根に該当する箇所は切り込みがなされず、天頂部３から切り離されない。図１０（ｂ）のように、吊り下げ部２を起立させることによって、付け根に折り返し線が形成され、折り返し線は、収容部１の水平断面形状の長軸に対して角度を有する。吊り下げ部２は、収容部１の水平断面形状の長軸に対して角度を有し、陳列時に包装体１０の収容部１が陳列棒に対して斜めに設置される。
【００３３】
収容部１は、紙、ラミネート紙、ポリプロピレンやポリエステル等のプラスチック材料等を好ましく用いることができる。天頂部３は、吊り下げ部を立上げても収容部１内に密閉性を保つ観点から、２層構造になっていることが好ましく、天頂部３（収容部１）の材料を２重にしたり、天頂部３の内側にポリエチレン等のフィルムを貼りつけて２層構造にする等して形成される。
【００３４】
以上、本発明をその好ましい実施形態に基づき説明したが、本発明は前記実施形態に制限されない。例えば、図１のように、商品の識別子を記載したタブを、収容部の背面右上部に設けてもよいが、タブを、側面上部に設けてもよい。タブを設けることにより、商品の識別が容易になり、必要な商品を容易に取りだすことができる。
【００３５】
また、収容部１は、六面体の箱状に限られず、その水平断面形状は、長軸Ｘと短軸Ｙを有していれば、図１１（ａ）〜（ｄ）に示すように、楕円形状や、正面又は背面の一方若しくは両方を湾曲にしたり、図１２（ａ）〜（ｆ）に示すように、三角形から八角形をなっていてもよい。天頂部３は、面状にかぎられず、上に凸状や凹状であってもよい。これらの場合、基本的には長軸Ｘ及び短軸Ｙは第１実施形態と同様に定義されるが（〔００１１〕参照）、収容部の正面または裏面が図１１(a)〜（ｄ）のように円弧状で表されている部分を有する場合は、円弧と２箇所で交わる直線で最も長い直線と平行な軸が長軸となる。図１１（ｂ）の１本の直線と円弧の組み合わせである場合には、直線と平行な軸が長軸となる。尚、直線が複数ある場合には、円弧で考える。また、収容部１の水平断面形状における正面または裏面が図１２（ａ）及び（ｄ）のように複数の直線で構成される場合は、正面および裏面を通じて最も長い直線と平行な軸が長軸となる。
【００３６】
本発明の包装体は、その収容する物品に特に制限はないが、生理用ショーツや吸収物品等のパッケージ、また靴下やショーツ等の衣類分野、歯ブラシ等の日用品雑貨分野、プリンターのインクカートリッジやお菓子等の収容に好ましい。
【図面の簡単な説明】
【００３７】
【図１】本発明の第１実施形態の包装体の斜視図である。
【図２】図１に示す第１実施形態の、吊り下げ部材２０を収容部１に挿し込む前の状態を示す分解斜視図である。
【図３】収容部並びに挿し込み穴の長軸及び短軸を説明するための図であり、（ａ）は図１の収容部の水平断面図、（ｂ）は収容部の天頂部の平面図である。
【図４】本発明の第１実施形態の包装体を、複数、陳列棒に陳列した状態を示す斜視図である。
【図５】本発明の第２実施形態の包装体を示す図であり、（ａ）は斜視図、（ｂ）は収容体の天頂部の平面図である。
【図６】本発明の第３実施形態の包装体を示す図であり、（ａ）は斜視図、（ｂ）は吊り下げ部材の連結部と挿し込み穴の配置を示す部分拡大断面図である。
【図７】本発明の第４実施形態の包装体を示す図であり、（ａ）は斜視図、（ｂ）は平面図である。
【図８】本発明の第５実施形態の包装体を示す図であり、（ａ）は斜視図、（ｂ）は平面図である。
【図９】本発明の第６実施形態の包装体を示す図であり、（ａ）は斜視図、（ｂ）は平面図である。
【図１０】本発明の第７実施形態の包装体を示す図であり、（ａ）は斜視図、（ｂ）は吊り下げ部を起立させる前の状態の平面図である。
【図１１】（ａ）〜（ｄ）は、本発明の包装体の収容部の他の実施形態を模式的に示す平面図である。
【図１２】（ａ）〜（ｆ）は、本発明の包装体の収容部の他の実施形態を模式的に示す平面図である。
【符号の説明】
【００３８】
１    収容部
１０  包装体
２    吊り下げ部
２０  吊り下げ部材
２１  フック部
２２  挿入部
２３  連結部
３    天頂部
４    挿し込み穴
８    陳列棒
【図１】
2006290442.tif 000003
【図２】
2006290442.tif 000004
【図３】
2006290442.tif 000005
【図４】
2006290442.tif 000006
【図５】
2006290442.tif 000007
【図６】
2006290442.tif 000008
【図７】
2006290442.tif 000009
【図８】
2006290442.tif 000010
【図９】
2006290442.tif 000011
【図１０】
2006290442.tif 000012
【図１１】
2006290442.tif 000013
【図１２】
2006290442.tif 000014